(57)【要約】【課題】  ＩＰ電話の障害時の障害検出から復旧までの時間を短縮可能なネットワークシステムを提供する。【解決手段】  ＩＰ電話端末３−１は、システム制御装置１が正常に動作しているかをキープアライブメッセージを定期的に送信して確認し、キープアライブメッセージの応答を受け取れず、再送しても応答がないと、障害を検出する。ＩＰ電話機端末３−１は障害を検出すると、登録時にシステム制御装置１から受信したマルチキャストＩＰアドレスへ障害検出メッセージを送信する。他のＩＰ電話端末３−２，３−３はこの障害検出メッセージにて、自端末が登録されているシステム制御装置１にて障害があったことを確認した際に、制御を停止し、直ちにバックアップ用システム制御装置４へ登録要求を送信する。【選択図】      図１
2008005076.tif 000002
【特許請求の範囲】
【請求項１】
複数のネットワーク端末と、前記複数のネットワーク端末を管理するシステム制御装置とを接続して構成されるネットワークシステムであって、
前記複数のネットワーク端末各々は、前記システム制御装置との接続における障害を検出する手段と、当該障害の検出を前記システム制御装置への登録時に予め受信したマルチキャストアドレスを用いて他の端末に通知する手段とを有することを特徴とするネットワークシステム。
【請求項２】
前記障害を検出する手段は、前記システム制御装置に登録した後に当該システム制御装置が正常に動作しているかを確認するためのメッセージを定期的に送信することを特徴とする請求項１記載のネットワークシステム。
【請求項３】
前記複数のネットワーク端末各々は、前記障害の検出時にバックアップ用のシステム制御装置への登録に切替えることを特徴とする請求項１または請求項２記載のネットワークシステム。
【請求項４】
前記複数のネットワーク端末各々は、前記障害の検出を前記他の端末に通知した後に前記バックアップ用のシステム制御装置への登録に切替えることを特徴とする請求項３記載のネットワークシステム。
【請求項５】
前記複数のネットワーク端末各々は、前記バックアップ用のシステム制御装置への登録に切替えた後に前記障害の検出を前記他の端末に通知することを特徴とする請求項３記載のネットワークシステム。
【請求項６】
前記複数のネットワーク端末各々は、前記障害の検出を通知するメッセージに当該障害を検出したシステム制御装置の情報と、正常に登録されたバックアップ用のシステム制御装置の情報とを付加することを特徴とする請求項５記載のネットワークシステム。
【請求項７】
前記ネットワーク端末が、ＩＰ（Ｉｎｔｅｒｎｅｔ  Ｐｒｏｔｏｃｏｌ）電話端末であることを特徴とする請求項１から請求項６のいずれか記載のネットワークシステム。
【請求項８】
システム制御装置によって管理され、前記システム制御装置によって管理される他の端末とともにネットワークシステムを構成するネットワーク端末であって、
前記システム制御装置との接続における障害を検出する手段と、当該障害の検出を前記システム制御装置への登録時に予め受信したマルチキャストアドレスを用いて他の端末に通知する手段とを有することを特徴とするネットワーク端末。
【請求項９】
前記障害を検出する手段は、前記システム制御装置に登録した後に当該システム制御装置が正常に動作しているかを確認するためのメッセージを定期的に送信することを特徴とする請求項８記載のネットワーク端末。
【請求項１０】
前記障害の検出時にバックアップ用のシステム制御装置への登録に切替えることを特徴とする請求項８または請求項９記載のネットワーク端末。
【請求項１１】
前記障害の検出を前記他の端末に通知した後に前記バックアップ用のシステム制御装置への登録に切替えることを特徴とする請求項１０記載のネットワーク端末。
【請求項１２】
前記バックアップ用のシステム制御装置への登録に切替えた後に前記障害の検出を前記他の端末に通知することを特徴とする請求項１０記載のネットワーク端末。
【請求項１３】
前記障害の検出を通知するメッセージに当該障害を検出したシステム制御装置の情報と、正常に登録されたバックアップ用のシステム制御装置の情報とを付加することを特徴とする請求項１２記載のネットワーク端末。
【請求項１４】
ＩＰ（Ｉｎｔｅｒｎｅｔ  Ｐｒｏｔｏｃｏｌ）電話端末であることを特徴とする請求項８から請求項１３のいずれか記載のネットワーク端末。
【請求項１５】
複数のネットワーク端末と、前記複数のネットワーク端末を管理するシステム制御装置とを接続して構成されるネットワークシステムに用いるネットワーク機器切替え方法であって、
前記複数のネットワーク端末各々が、前記システム制御装置との接続における障害を検出する処理と、当該障害の検出を前記システム制御装置への登録時に予め受信したマルチキャストアドレスを用いて他の端末に通知する処理とを実行することを特徴とするネットワーク機器切替え方法。
【請求項１６】
前記障害を検出する処理において、前記システム制御装置に登録した後に当該システム制御装置が正常に動作しているかを確認するためのメッセージを定期的に送信することを特徴とする請求項１５記載のネットワーク機器切替え方法。
【請求項１７】
前記複数のネットワーク端末各々が、前記障害の検出時にバックアップ用のシステム制御装置への登録に切替えることを特徴とする請求項１５または請求項１６記載のネットワーク機器切替え方法。
【請求項１８】
前記複数のネットワーク端末各々が、前記障害の検出を前記他の端末に通知した後に前記バックアップ用のシステム制御装置への登録に切替えることを特徴とする請求項１７記載のネットワーク機器切替え方法。
【請求項１９】
前記複数のネットワーク端末各々が、前記バックアップ用のシステム制御装置への登録に切替えた後に前記障害の検出を前記他の端末に通知することを特徴とする請求項１７記載のネットワーク機器切替え方法。
【請求項２０】
前記複数のネットワーク端末各々が、前記障害の検出を通知するメッセージに当該障害を検出したシステム制御装置の情報と、正常に登録されたバックアップ用のシステム制御装置の情報とを付加することを特徴とする請求項１９記載のネットワーク機器切替え方法。
【請求項２１】
前記ネットワーク端末が、ＩＰ（Ｉｎｔｅｒｎｅｔ  Ｐｒｏｔｏｃｏｌ）電話端末であることを特徴とする請求項１５から請求項２０のいずれか記載のネットワーク機器切替え方法。
【発明の詳細な説明】
【技術分野】
【０００１】
本発明はネットワークシステム、ネットワーク端末及びそれらに用いるネットワーク機器切替え方法に関し、特にＩＰ（Ｉｎｔｅｒｎｅｔ  Ｐｒｏｔｏｃｏｌ）電話端末の障害時の切替えに関する。
【背景技術】
【０００２】
従来、ＩＰ電話端末といったネットワーク端末を含めたネットワークシステムにおいて、ＩＰ電話の障害時の障害検出から復旧までの時間は、電話機側の検出時間に依存している。
【０００３】
この障害検出及び復旧手段としては、各ＩＰ電話端末側の判断でバックアップ用通信制御装置へ接続先を切替える方法（例えば、特許文献１参照）、及び各ＩＰ電話機で交換機からの問い合わせパケットを受信できなかった場合に、各ＩＰ電話機側の判断でＩＰからアナログ電話制御に切替える方法（例えば、特許文献２参照）が提案されている。
【０００４】
【特許文献１】特開２００５−３９５８５号公報
【特許文献２】特開平１０−２７１２４３号公報
【発明の開示】
【発明が解決しようとする課題】
【０００５】
上述した従来のネットワークシステムでは、各ＩＰ電話端末が自端末の対制御装置間のメッセージ送受信にて障害を検出した場合に初めて復旧処理を行っているため、バックアップ用制御装置への接続やアナログ電話制御への切替えを行うまでの時間が各ＩＰ電話端末側の検出時間に依存しており、検出・復旧を取るまでの時間を改善する手段が取られていないという問題がある。
【０００６】
また、従来のネットワークシステムでは、ＩＰ電話端末でユニキャストによる情報通知を行う場合、制御装置と同じデータベースを各ＩＰ電話端末が所有し、登録されているＩＰ電話端末分のデータを送信する必要があるため、ＩＰ電話端末間の通信手段で行う際、通知するＩＰ電話端末の負荷が高くなるという問題がある。
【０００７】
さらに、従来のネットワークシステムでは、ＩＰ電話端末でユニキャストによる情報通知を行う場合、通知するＩＰ電話端末分だけデータを送信するため、ＩＰ電話端末間の通信手段で行う際、トラフィックが増加するという問題がある。
【０００８】
そこで、本発明の目的は上記の問題点を解消し、ＩＰ電話の障害時の障害検出から復旧までの時間を短縮することができるネットワークシステム、ネットワーク端末及びそれらに用いるネットワーク機器切替え方法を提供することにある。
【課題を解決するための手段】
【０００９】
本発明によるネットワークシステムは、複数のネットワーク端末と、前記複数のネットワーク端末を管理するシステム制御装置とを接続して構成されるネットワークシステムであって、
前記複数のネットワーク端末各々は、前記システム制御装置との接続における障害を検出する手段と、当該障害の検出を前記システム制御装置への登録時に予め受信したマルチキャストアドレスを用いて他の端末に通知する手段とを備えている。
【００１０】
本発明によるネットワーク端末は、システム制御装置によって管理され、前記システム制御装置によって管理される他の端末とともにネットワークシステムを構成するネットワーク端末であって、
前記システム制御装置との接続における障害を検出する手段と、当該障害の検出を前記システム制御装置への登録時に予め受信したマルチキャストアドレスを用いて他の端末に通知する手段とを備えている。
【００１１】
本発明によるネットワーク機器切替え方法は、複数のネットワーク端末と、前記複数のネットワーク端末を管理するシステム制御装置とを接続して構成されるネットワークシステムに用いるネットワーク機器切替え方法であって、
前記複数のネットワーク端末各々が、前記システム制御装置との接続における障害を検出する処理と、当該障害の検出を前記システム制御装置への登録時に予め受信したマルチキャストアドレスを用いて他の端末に通知する処理とを実行している。
【００１２】
すなわち、本発明のネットワークシステムは、ＩＰ（Ｉｎｔｅｒｎｅｔ  Ｐｒｏｔｏｃｏｌ）マルチキャストを利用したＩＰ電話の障害時の切替え機能を提供するものである。
【００１３】
より具体的に説明すると、本発明のネットワークシステムでは、ＩＰ電話端末と、ＩＰ電話端末を制御するシステム制御装置と、バックアップ用システム制御装置とから構成され、システム制御装置に接続されるＩＰ電話端末間でマルチキャストグループを形成させている。
【００１４】
本発明のネットワークシステムでは、システム制御装置の障害を最初に検出したＩＰ電話端末にて障害情報をマルチキャストグループのＩＰアドレスにデータを送信することによって、まだ障害を検出していないＩＰ電話端末も早期障害検出が可能となり、バックアップ用システム制御装置へ登録を切替えることが可能となる。したがって、本発明のＩＰ電話切替えシステムでは、ＩＰ電話における障害発生から復旧までの時間を短縮させることが可能となる。
【００１５】
また、本発明のネットワークシステムでは、ＩＰ電話における障害発生の通知が１度のマルチキャストＩＰアドレスの送信で済むため、ＩＰ電話の障害検出時に通知するＩＰ電話端末の処理負荷及びネットワークトラフィックの軽減を図ることが可能となる。
【００１６】
これによって、本発明のネットワークシステムでは、ＩＰマルチキャストを利用することで、最初に障害を検出したＩＰ電話端末がＩＰマルチキャストを送信することで、他のＩＰ電話端末も同時に障害検出を行うことが可能となるため、ＩＰ電話における障害時に障害検出から復旧までの時間を短縮することが可能となる。
【００１７】
また、本発明のネットワークシステムでは、ＩＰ電話の障害検出時にＩＰマルチキャストを送信することで、ユニキャストによる通知の場合と比較し、一度の送信でＩＰ電話の障害検出を通知することが可能となるので、送信処理を軽減させるとともに、送信対象のＩＰ電話端末のデータベースを保有する必要がなくなるため、ＩＰマルチキャストを利用することでＩＰ電話の障害通知時らおけるＩＰ電話端末の処理を軽減させることが可能となる。
【００１８】
さらに、本発明のネットワークシステムでは、１回のＩＰマルチキャスト送信で他のＩＰ電話端末に、ＩＰ電話の障害発生を通知可能となるので、ユニキャストによる通知の場合と比較し、送信データ数を軽減させることが可能となるため、ＩＰマルチキャストを利用することで、トラフィックを軽減させることが可能となる。
【発明の効果】
【００１９】
本発明は、上記のような構成及び動作とすることで、ＩＰ電話の障害時の障害検出から復旧までの時間を短縮することができるという効果が得られる。
【発明を実施するための最良の形態】
【００２０】
次に、本発明の実施例について図面を参照して説明する。図１は本発明の一実施例によるネットワークシステムの構成例を示すブロック図である。図１において、本発明の一実施例によるネットワークシステムはシステム制御装置１とルータ２−１とを含むネットワーク１００と、ルータ２−２とＩＰ（Ｉｎｔｅｒｎｅｔ  Ｐｒｒｏｔｏｃｏｌ）電話端末３−１〜３−ｎ（ｎは正の整数）とバックアップ用システム制御装置４とを含むネットワーク２００とを伝送路３００で接続して構成されている。ネットワーク１００において、システム制御装置１及びルータ２−１はＬＡＮ（Ｌｏｃａｌ  Ａｒｅａ  Ｎｅｔｗｏｒｋ）伝送路１０１に接続され、ルータ２−２とＩＰ電話端末３−１〜３−ｎとバックアップ用システム制御装置４とはＬＡＮ伝送路２０１に接続されている。
【００２１】
図２は図１のシステム制御装置１の構成例を示すブロック図である。図２において、システム制御装置１は電話端末制御部１１と、電話端末データベース部１２と、マルチキャストＩＰアドレス決定部１３とから構成されている。
【００２２】
電話端末制御部１１は、ＩＰ電話端末３−１〜３−ｎの登録処理や電話制御を行い、ＩＰ電話端末３−１〜３−ｎの登録時に、マルチキャストＩＰアドレス決定部１３にて決定したマルチキャストアドレスを配布し、そのマルチキャストアドレスを内線番号やＩＰアドレスとともに、電話端末データベース部１２に保管する。尚、図示していないが、バックアップ用システム制御装置４は上記のシステム制御装置１と同等の構成となっている。
【００２３】
図３は図２の電話端末データベース部１２の構成例を示す図である。図３において、電話端末データベース部１２はＩＰ電話端末３−１〜３−ｎがシステム制御装置１に登録した時に通知したＩＰアドレス（「１００．１００．１００．１００」，「１００．１００．１００．１０１」，「１００．１００．１００．１０２」，「１００．１００．１００．１０３」，「１００．１００．１００．１０４」，「１００．１００．１００．１０５」，・・・）と、マルチキャストＩＰアドレス決定部１３にて決定したマルチキャストＩＰアドレス（「２３９．２５５．２５５．２５５」）と、電話番号（「２００」，「２０１」，「２０２」，「２０３」，「２０４」，「２０５」，・・・）とをそれぞれ対応付けて格納している。
【００２４】
図４は図１のＩＰ電話端末の構成例を示すブロック図である。図４において、ＩＰ電話端末３は、呼制御部３１と、ＩＰマルチキャスト制御部３２と、マルチキャストＩＰアドレス保管部３３とから構成されている。尚、ＩＰ電話端末３−１〜３−ｎ各々はこのＩＰ電話端末３と同様の構成となっている。
【００２５】
図５は本発明の一実施例によるネットワークシステムの動作を示すシーケンスチャートである。これら図１〜図６を参照して、ＩＰ電話端末３−１〜３−３が障害を検出した時に、その障害発生をＩＰマルチキャストによって他の装置に通知した後、復旧するまでの動作について説明する。
【００２６】
システム制御装置１とバックアップ用システム制御装置４とがそれぞれネットワーク１００，２００に接続され、ネットワーク２００にＩＰ電話端末３−１〜３−３を接続して運用を行う際、ＩＰ電話端末３−１〜３−３が、システム制御装置１に対してユニキャストで登録要求メッセージを送信する［図５の（１）参照］。
【００２７】
システム制御装置１は、ＩＰ電話端末３−１〜３−３から登録要求メッセージを受信すると、マルチキャストＩＰアドレス決定部１３で登録完了したＩＰ電話端末３−１〜３−３向けのマルチキャストＩＰアドレスを決定し、電話端末データベース部１２に登録する。
【００２８】
決定されたマルチキャストＩＰアドレスの登録が完了したら、登録完了メッセージＡをＩＰ電話端末３−１〜３−３に送信する。登録完了メッセージＡは、図６に示すように、ＩＰ電話端末３−１〜３−３の登録結果Ａ１と、マルチキャストＩＰアドレス情報部Ａ２とから構成されている。これによって、本実施例では、システム制御装置１への登録処理が完了し、運用が開始される［図５の（２）参照］。
【００２９】
ＩＰ電話端末３−１〜３−３は、システム制御装置１が正常に動作しているかをキープアライブメッセージを定期的（例えば、分毎）に送信して確認する。システム制御装置１から応答があった場合には、システム制御装置１と正常に通信ができていると判断し、また３分後にキープアライブを送信する［図５の（３）参照］。
【００３０】
伝送路３００またはシステム制御装置１にて障害が発生した際、最初にキープアライブを送信したＩＰ電話端末３−１がキープアライブの応答を受け取れず、再送しても応答がないため、障害を検出する。ＩＰ電話機端末３−１は障害を検出すると、登録時にシステム制御装置１から受信したマルチキャストＩＰアドレス情報部Ａ２にあるマルチキャストＩＰアドレスへ障害検出メッセージＢ（図７参照）を送信する［図５の（４）参照］。障害検出メッセージＢは、図７に示すように、障害内容情報部Ｂ１と障害発生システム制御装置ＩＰアドレス情報部Ｂ２とから構成されている。
【００３１】
他のＩＰ電話端末３−２，３−３はこの障害検出メッセージＢを受信すると、障害のあったシステム制御装置１が自端末が登録されているシステム制御装置１であることを確認した際に、制御を停止し、直ちにバックアップ用システム制御装置４へ登録要求を送信する。最初に障害を検出したＩＰ電話端末３−１も障害検出メッセージＢを送信したら、直ちにバックアップ用システム制御装置４へ登録要求を送信する。
【００３２】
バックアップ用システム制御装置４はＩＰ電話端末３−１〜３−３から登録要求を受けると、システム制御装置１の時と同様に、マルチキャストＩＰアドレスを決定し、電話端末データベースに登録が完了したら、登録完了メッセージＡをＩＰ電話端末３−１〜３−３に送信する。これによって、ＩＰ電話端末３−１〜３−３のバックアップ用システム制御装置４への登録が完了となり、ＩＰ電話端末３−１〜３−３は運用を再開する［図５の（５）参照］。
【００３３】
このように、本実施例では、最初に障害を検出したＩＰ電話端末３−１がＩＰマルチキャストを送信することで、他のＩＰ電話端末３−２，３−３も同時に障害検出することができるため、ＩＰマルチキャストを利用することで、ＩＰ電話における障害検出から復旧までの時間を短縮することができる。
【００３４】
また、本実施例では、障害検出時にＩＰマルチキャストを送信することで、ユニキャストによる通知の場合と比較し、一度の送信でＩＰ電話の障害発生を通知することができるので、送信処理を軽減させるとともに、送信対象のＩＰ電話端末のデータベースを保有する必要がないため、ＩＰマルチキャストを利用することで、障害通知時のＩＰ電話端末３−１〜３−３の処理を軽減させることができる。
【００３５】
さらに、本実施例では、１回のＩＰマルチキャスト送信で他のＩＰ電話端末へ障害の発生を通知することができるので、ユニキャストによる通知の場合と比較し、送信データ数を軽減させることができるため、ＩＰマルチキャストを利用することで、トラフィックを軽減させることができる。
【００３６】
尚、本発明は、ＩＰ電話端末が障害を検出し、バックアップ用システム制御装置に登録した後に、その障害検出をＩＰマルチキャストにて他のＩＰ電話端末に通知する場合にも適用可能である。
【００３７】
任意のＩＰ電話端末にて障害を検出した場合、そのＩＰ電話端末がバックアップ用システム制御装置への登録の完了後に、他のＩＰ電話端末に障害の検出を通知する。この場合、他のＩＰ電話端末に通知するメッセージの中には、障害を検出したシステム制御装置のアドレスだけでなく、正常に登録することができたバックアップ用システム制御装置のアドレスをも付加して通知する。
【００３８】
これによって、障害検出メッセージを受信した他のＩＰ電話端末は、障害を早期に検出することができるだけでなく、事前に正常に登録可能な装置のアドレスをも認識することができるので、障害検出後の登録先を検出する処理が不要となる。
【００３９】
また、本発明は、ＩＰ電話端末がネットワークに接続する装置である場合について適用可能である。この場合、ネットワーク端末（以下、ＮＣとする）と、それらを管理するシステム制御装置とが接続されているネットワークにおいて、あるＮＣにてシステム制御装置の障害を検出した場合、他のＮＣに対し、ＩＰマルチキャストで障害検出を通知し、バックアップ用システム制御装置へ接続先を切替えて復旧させることができる。
【図面の簡単な説明】
【００４０】
【図１】本発明の一実施例によるネットワークシステムの構成例を示すブロック図である。
【図２】図１のシステム制御装置の構成例を示すブロック図である。
【図３】図２の電話端末データベース部の構成例を示す図である。
【図４】図１のＩＰ電話端末の構成例を示すブロック図である。
【図５】本発明の一実施例によるネットワークシステムの動作を示すシーケンスチャートである。
【図６】本発明の一実施例による登録完了メッセージの構成例を示す図である。
【図７】本発明の一実施例による障害検出メッセージの構成例を示す図である。
【符号の説明】
【００４１】
１  システム制御装置
２−１，２−２  ルータ
３，３−１〜３−ｎ  ＩＰ電話端末
４  バックアップ用システム制御装置
１１  電話端末制御部
１２  電話端末データベース部
１３  マルチキャストＩＰアドレス決定部
３１  呼制御部
３２  ＩＰマルチキャスト制御部
３３  マルチキャストＩＰアドレス保管部
１００，２００  ネットワーク
１０１，２０１  ＬＡＮ伝送路
３００  伝送路
【図１】
2008005076.tif 000003
【図２】
2008005076.tif 000004
【図３】
2008005076.tif 000005
【図４】
2008005076.tif 000006
【図５】
2008005076.tif 000007
【図６】
2008005076.tif 000008
【図７】
2008005076.tif 000009